(57)【要約】      （修正有）【課題】手持寝具を使用して一年中使用可能で季節に応して快眠生活が出来きて、その出費は１／３前後ですみ、資源のむだも無く健康な快眠が得られるエアードームカバーを提供する。【解決手段】ふとんカバーに保温材を入れずに、低密度生地３がエアーコントロール暖房送風機９の送風により浮き上り寝床空間１１が出来ることで、寝床空間の高さ１７は２５ｃｍ以上が望ましい。この寝床空間１１には温風が流れ、裏生地は肌より発汗を阻害せず寝床空間１１は５０％以下に近い環境を造り快眠出来る。【選択図】図４
2009066380.tif 000002
【特許請求の範囲】
【請求項１】
送風機により空気を入れるふとんカバーにおいて、空気を入れた時にふとんカバーの中央部が上昇し、中央付近にエアードームを形成することを特微とするふとんカバー。
【請求項２】
ふとんカバーの裏地の断面形状が、襟部と足部の平面から中央部のＵ字面まで複数段で変化することを特微とする請求項１に記載のふとんカバー。
【請求項３】
ふとんカバーの裏地に平ドームテープ、中ドームテープ、高ドームテープを一定の間隔をあけてならべ、その上面に表生地を縫合し、その際足部に送風口受口を作り、エアーコントロール暖房送風機をセツトすることを特微とする請求項１又は請求項２に記載のふとんカバー。
【請求項４】
裏生地は表生地より通気度の低い生地を使用することを特微とする請求項１請求項２又は請求項３に記載のふとんカバー。
【請求項５】
襟部の上面にエリカバー生地を冬季ふとん空間を作り縫合することを特微とした、請求項１、請求項２、請求項３又は請求項４に記載のふとんカバー。
【請求項６】
表生地の両側に夏季用タオルケツト類取付布を設けて、裏生地と縫合することを特微とする請求項１、請求項２、請求項３、請求項４又は請求項５に記載のふとんカバー。
【発明の詳細な説明】
【技術分野】
【０００１】  本発明は健康福祉用寝具に関する。
【背景技術】
【０００２】  従来の技術はふとんの中に空気を入れて、寝床内の温度を睡眠環境に適した温度にコントロールしていた。これに関する技術は、特許３０６１３６０号、特許３０５３５０７号、特許２６１６８９３号に開示されている。
【特許文献１】特許３０６１３６０号
【特許文献２】特許３０５３５０７号
【特許文献３】特許２６１６８９３号
【発明の開示】
【発明が解決しようとする課題】  背景技術や発明の開示で示す商品は市販されたり、試作されたりしています。
背景技術で市販されている商品は、手持の掛ふとんを使用出来ない為、掛ふとんとエアーコントロール暖房送風機とセツトで購入する為価格も高くなり全ての人に購入していたヾくにはむりがり、又手持ちふとんを捨てるには費用もかヽり資源のむだづかいである。このふとんの掛カバーを使用すると、裏生地が人の肌に接し汗の放出を閉ぎ、蒸しあつく室温２８℃までは快眠出来ますが、室温２９℃以上では寝床内湿度が７０％以上９０％近くまで上り快眠出来る商品とは言へません。室温３０℃で寝床内湿度を５０％以下にすることが求められています。
【課題を解決する手段】
【０００３】  室温２９℃以上３０℃近くの寝室で寝床内を５０％以下の湿度にして快眠環境を作るには図３、図４で示す様にふとんカバに保温材を入れずに、低密度生地３がエアーコントロール暖房送風機９の送風により浮き上り寝床空間１１が出来ることが重要で、寝床空間の高さ１７は２５ｃｍ以上が望ましい。この寝床空間１１には温風が流れ、裏生地は肌より発汗を阻害せず寝床空間１１は５０％以下に近い環境を造り快眠出来るのです。
【０００４】  エアードームカバーに送風して快眠出来る室温は２８℃までが快眠出来ますが、それ以下の室温では放熱を防ぐタオルケツト、毛布等を重ねて使用する必要があります。又室温が２４℃近くに下つた時は手持の羽毛ふとん２００ｇを重ねたり４００ｇを重ねたりして送風温度を好みに合せて使用すれば、手持寝具は全て利用出来るのです。
この様にすれば課題は解決出来るのです。
【発明の効果】
【０００５】  エアードームカバーとエアーコントロール暖房送風機９を購入すればこのセツトで快眠出来る室温は２８℃〜３０℃で２９℃の送風で快眠が出来ます。人により体温、汗かきの体質により送風温度２７℃〜３５℃まで０．５℃刻みで送風出来る上に、送風量も弱中強と調節出来るのです。
室温がさらに下がれば表生地よりの放熱を防ぐ為、タオルケツトや毛布を重ねる為に、夏季用タオルケツト類取付布５が設けられている。さらに室温が低下すれば、手持の寝具（例）４００ｇ羽毛ふとん、１ｋｇ羽毛ふとん、１．２ｋｇの羽毛ふとんをエリカバー生地２に差し込み、ふとん取付手６にセツトすれば、年中手持寝具を利用し安価に快眠生活が送れるのです、高令者や病気で寝床内生活を長く続けておられる方には、睡眠不足で苦しんでおられる２０００万人の人々にはこれ以上の商品は有りません。
睡眠不足による損失は３兆円と報しられています。
発明の効果は絶大で計りきれないと信じます。
【発明を実施するための最良の形態】
【０００６】図３と図４で示す様に、超密度生地４は通気度１．５〜２（エアーが通りにくい）生地、低密度生地３は通気度３〜３．２（エアーが多少通りやすい）生地で風量にもよるが、浮上して寝床空間１１を形成することが重要で且温風が低密度生地を貫通して寝床空間１１に流れることが最重要である。【０００７】又図５、図６、図７のドームテープは出来るだけ軽く、縫製しやすく、通気の良い生地を使用することが重要である。図５の平ドームテープ１８の襟を構成するテープは通気度２．５〜３の中間の生地が良い。襟元にエアーが多少流れる位が良く多く流れると冬季乾燥したエアーで  のどが乾く為、多少ふくらみが出来る位でよい。【０００８】図２のエリカバー生地２の大きさは襟元でよい。全面に袋状のカバーでも良いが、出来るだけ軽い生地が望ましい。寝床空間１１の阻害にならないことが大切である。
【実施例】
【０００９】図１のエアードーム１を作るには裏生地の低密度生地３と襟元になる中密度生地１６を縫合しその上に襟元より平ドームテープ１８（中密度生地が好ましい）中ドームテープ１９（通気の流れやすい生地）高ドームテープ２０（通気の流れやすい生地）を３枚使用し、次に中ドームテープ１９を、さらに平ドームテープ１８を図３の様に列べる。この際送風口に当る所はカツトして通風しやすくする。この上に超密度生地４を乗せ縫合する。縫合の際  夏季用タオルケツト類取付布５を両側に作る様にすることが必要である。【００１０】ドーム部が出来ればふとん取付手６を外側に６ヶ所以上縫合し、送風口２１と送風口締つけマジツクテープ７を取付ける。エアードーム１の襟元の上に図２のエリカバー生地２を縫合する。この際冬季ふとんの空間１３を作り、ふとんセツト口１２を左右に作つて図３の完成品が出来上ります。
図４はエアーコントロール暖房送風機９とセツトされ、送風した時の▲Ａ▼−▲Ａ▼断面図である。季節に応じて春夏使用タオルケツト１５、又は冬季ふとん１４を重ねて使用すれば年中快眠生活が安価に可能になります。
【産業上の利用可能性】
【００１１】人間は睡眠無くして生存出来ません。快眠、熟睡こそ健康の原点てあり人生の１／３が寝床内生活の時間で生活しています。
特に交通関係、医療関係は睡眠不足から重大な事故が多発しています。日本で睡眠不足により損失は３兆円以上と言はれています。
会社の社員も全て睡眠不足で能力低下し国民の１／３が睡眠不足で苦しんでいます。
入床してから寝床内環境が３時間をすぎると湿度が汗で８０％〜９０％近くに上昇するのです。又ホテルの寝具は最低です。宿泊時間の７時間は寝床内の時間で４軒の一流ホテルの使用寝具のデータを測定しました。１ｋｇの羽毛ふとんで室温２５℃３時間で、８６％に湿度上昇、温度は３４℃に上昇して寝れません。この産業界も観光日本をめざすには寝具の研究が最重要である。又病院寝具も同じく２日目は９９％になります。全ての産業に、これ以上の利用可能性が有ると信じます。
【図面の簡単な説明】
【００１２】
【図１】エアードームの平面図
【図２】エリカバー生地の平面図
【図３】エアードームカバーの平面図
【図４】送風時の▲Ａ▼−▲Ａ▼断面図
【図５】平ドームテープの▲Ｂ▼−▲Ｂ▼断面図
【図６】中ドームテープの▲Ｃ▼−▲Ｃ▼断面図
【図７】高ドームテープの▲Ｄ▼−▲Ｄ▼断面図
【図８】冬季ふとんの平面図
【図９】春夏使用タオルケツトの平面図
【符号の説明】
【００１３】  １  エアードーム                      ２  エリカバー生地
３  低密度生地                        ４  超密度生地
５  夏季用タオルケツト類取付布        ６  ふとん取付手
７  送風口締つけマジツクテープ        ８  送風口
９  エアーコントロール暖房送風機    １０  温風通路
１１  寝床空間                        １２  ふとんセツト口
１３  冬季ふとんの空間                １４  冬季ふとん
１５  春夏使用タオルケツト            １６  中密度生地
１７  寝床空間の高さ                  １８  平ドームテープ
１９  中ドームテープ                  ２０  高ドームテープ
２１  送風口受口
【図１】
2009066380.tif 000003
【図２】
2009066380.tif 000004
【図３】
2009066380.tif 000005
【図４】
2009066380.tif 000006
【図３】
2009066380.tif 000007
【図５】
2009066380.tif 000008
【図６】
2009066380.tif 000009
【図７】
2009066380.tif 000010
【図８】
2009066380.tif 000011
【図９】
2009066380.tif 000012
【手続補正書】
【提出日】平成19年11月27日(2007.11.27)
【手続補正１】
【補正対象書類名】図面
【補正対象項目名】全図
【補正方法】変更
【補正の内容】
【図１】
2009066380.tif 000013
【図２】
2009066380.tif 000014
【図３】
2009066380.tif 000015
【図４】
2009066380.tif 000016
【図５】
2009066380.tif 000017
【図６】
2009066380.tif 000018
【図７】
2009066380.tif 000019
【図８】
2009066380.tif 000020
【図９】
2009066380.tif 000021